(57)【要約】【課題】水平クロストーク現象とムービングラインステイン現象とを減少、又は除去できる表示装置を提供する。【解決手段】表示装置は、第１方向に延長される複数のゲートライン、前記第１方向と交差する第２方向に延長される複数のデータライン、前記ゲートライン、及び前記データラインに接続された複数の画素を含む。前記画素は、ｋ番目のデータライン及びｋ＋１番目のデータラインの間に位置するｋ番目の列の画素を含む。前記ｋ番目の列の画素は、多数のグループに配列され、各グループは、前記ｋ番目のデータラインに接続される２ｉ個の第１画素と前記ｋ＋１番目のデータラインに接続される２ｉ個の第２画素とからなる。前記ｋ番目の列の画素は、前記ｋ番目のデータラインと前記ｋ＋１番目のデータラインとに１つのグループを周期に交互に接続される。【選択図】図２
2016157112.tif 000002
【特許請求の範囲】
【請求項１】
第１方向に延長される複数のゲートラインと、
前記第１方向と交差する第２方向に延長された複数のデータラインと、
前記ゲートライン及び前記データラインに接続された複数の画素と、を含み、
前記画素は、ｋ（ｋは、１以上の整数）番目のデータライン及びｋ＋１番目のデータラインの間に位置するｋ番目の列の画素を含み、
前記ｋ番目の列の画素は、多数のグループを含み、各グループは、前記ｋ番目のデータラインに接続される２ｉ（ｉは、１以上の整数）個の第１画素と前記ｋ＋１番目のデータラインに接続される２ｉ個の第２画素とからなり、
前記ｋ番目の列で画素は、多数個のグループに配列され、各グループ内の画素は、前記ｋ番目のデータラインと前記ｋ＋１番目のデータラインとに交互に接続され、前記ｋ番目の列の画素は、１つのグループを周期に前記ｋ番目のデータラインと前記ｋ＋１番目のデータラインとに交互に接続され、
前記画素の各々の前記第１方向への幅は、前記第２方向への幅より大きいことを特徴とする表示装置。
【請求項２】
前記ｋ番目の列の画素は、前記第２方向に互い異なる４つのカラー単位に反複されるパターンに配列されることを特徴とする請求項１に記載の表示装置。
【請求項３】
前記ｋ番目の列の画素のうちの前記第２方向にｊ番目、及びｊ＋４番目の行の画素は、互いに同一のカラーを有し、ｊ＋１番目、及びｊ＋５番目の行の画素は、互いに同一のカラーを有し、ｊ＋２番目、及びｊ＋６番目の行の画素は、互いに同一のカラーを有し、ｊ＋３番目、及びｊ＋７番目の行の画素は、互いに同一のカラーを有することを特徴とする請求項２に記載の表示装置。
【請求項４】
前記ｋ番目の列の画素は、前記第２方向に順次レッド、グリーン、ブルー、及びホワイトカラーを有することを特徴とする請求項３に記載の表示装置。
【請求項５】
前記ｋ番目の列の画素のうちの前記ｊ番目、ｊ＋２番目、ｊ＋５番目、及びｊ＋７番目の行の画素は、前記ｋ番目のデータラインに接続され、前記ｊ＋１番目、ｊ＋３番目、ｊ＋４番目、ｊ＋６番目の行の画素は、前記ｋ＋１番目のデータラインに接続されることを特徴とする請求項３に記載の表示装置。
【請求項６】
前記ｋ番目の列の画素のうちの前記ｊ番目、ｊ＋１番目、ｊ＋６番目、及びｊ＋７番目の行の画素は、前記ｋ番目のデータラインに接続され、前記ｊ＋２番目、ｊ＋３番目、ｊ＋４番目、ｊ＋５番目の行の画素は、前記ｋ＋１番目のデータラインに接続されることを特徴とする請求項３に記載の表示装置。
【請求項７】
前記ｋ番目の列の画素のうちの前記ｊ番目、ｊ＋３番目、ｊ＋５番目、及びｊ＋６番目の行の画素は、前記ｋ番目のデータラインに接続され、前記ｊ＋１番目、ｊ＋２番目、ｊ＋４番目、ｊ＋７番目の行の画素は、前記ｋ＋１番目のデータラインに接続されることを特徴とする請求項３に記載の表示装置。
【請求項８】
各グループの第１画素は、４つのカラーの中で第１及び第２カラーのうちの１つのカラーを有し、
各グループと隣接する第２画素は、
前記４つのカラーのうちの残る第３及び第４カラーのうちの１つのカラーを有することを特徴とする請求項２に記載の表示装置。
【請求項９】
前記第１及び第２カラーは、レッド及びブルーカラーであり、
前記第３及び第４カラーは、グリーン及びホワイトであることを特徴とする請求項８に記載の表示装置。
【請求項１０】
前記データラインに印加されるデータ電圧の極性は、４ｉ個のデータラインを周期にして反転されることを特徴とする請求項１に記載の表示装置。
【請求項１１】
前記データラインのうちの前記ｋ番目、ｋ＋２番目、ｋ＋５番目、及びｋ＋７番目のデータラインは、第１極性を有し、
前記ｋ＋１番目、ｋ＋３番目、ｋ＋４番目、及びｋ＋６番目のデータラインは、第２極性を有することを特徴とする請求項１０に記載の表示装置。
【請求項１２】
前記データラインのうちの前記ｋ番目、ｋ＋１番目、ｋ＋４番目、及びｋ＋５番目のデータラインは、第１極性を有し、
前記ｋ＋２番目、ｋ＋３番目、ｋ＋６番目、及びｋ＋７番目のデータラインは、第２極性を有することを特徴とする請求項１０に記載の表示装置。
【請求項１３】
前記データラインのうちの前記ｋ番目、ｋ＋３番目、ｋ＋５番目、及びｋ＋６番目のデータラインは、第１極性を有し、
前記ｋ＋１番目、ｋ＋２番目、ｋ＋４番目、及びｋ＋７番目のデータラインは、第２極性を有することを特徴とする請求項１０に記載の表示装置。
【請求項１４】
前記複数のデータラインのうちの第１番目及び最後のデータラインに接続されたダミー画素をさらに含むことを特徴とする請求項１に記載の表示装置。
【請求項１５】
前記第１番目のデータラインに接続された前記ダミー画素は、前記第２画素が配置される画素行に位置し、前記最後のデータラインに接続された前記ダミー画素は、前記第１画素が配置される画素行に位置することを特徴とする請求項１４に記載の表示装置。
【請求項１６】
ｊ番目の行の画素は、前記第１方向に順次レッド、グリーン、ブルー、及びホワイトカラーを有し、
前記ｋ番目の列の画素は、前記４つのカラーのうちの第１及び第２カラーを有する画素を含み、
前記ｋ＋１番目の行の画素は、前記４つのカラーのうちの残る第３及び第４カラーを有する画素を含むことを特徴とする請求項１に記載の表示装置。
【請求項１７】
前記第１及び第２カラーは、レッド及びブルーカラーであり、
前記第３及び第４カラーは、グリーン及びホワイトであることを特徴とする請求項１６に記載の表示装置。
【請求項１８】
前記ｋ番目の列の画素のうちの前記ｊ番目、ｊ＋２番目、ｊ＋５番目、及びｊ＋７番目の行の画素は、前記ｋ番目のデータラインに接続され、前記ｊ＋１番目、ｊ＋３番目、ｊ＋４番目、ｊ＋６番目の行の画素は、前記ｋ＋１番目のデータラインに接続されることを特徴とする請求項１７に記載の表示装置。
【請求項１９】
前記データラインに印加されるデータ電圧の極性は、４ｉ個のデータラインを周期にして反転されることを特徴とする請求項１６に記載の表示装置。
【発明の詳細な説明】
【技術分野】
【０００１】
本発明は、表示装置に関し、さらに詳細には反転駆動方式を適用する液晶表示装置に関する。
【背景技術】
【０００２】
液晶表示装置は、二つの基板の間に配置された液晶層に電界を形成して液晶分子の配列状態を変更することによって、入射された光の透過度を調節して映像を表示する。
【０００３】
液晶表示装置の駆動方法には、データラインに印加されるデータ電圧の位相によってラインインバージョン（ｌｉｎｅ  ｉｎｖｅｒｓｉｏｎ）、カラムインバージョン（ｃｏｌｕｍｎ  ｉｎｖｅｒｓｉｏｎ）、及びドットインバージョン（ｄｏｔ  ｉｎｖｅｒｓｉｏｎ）等の方式がある。ラインインバージョン方式は、データラインに印加される映像データの位相を画素行毎に反転させて印加する方式であり、カラムインバージョン方式は、データラインに印加される映像データの位相を画素列毎に反転させて印加する方式であり、ドットインバージョン方式は、データラインに印加される映像データの位相を画素行と画素列毎に反転させて印加する方式である。
【０００４】
一般的に、表示装置は、レッド、ブルー、及びグリーンの３原色を利用して色を表現する。したがって、表示パネルは、レッド、ブルー、及びグリーンの各々に対応するピクセルを具備する。最近では、レッド、ブルー、グリーン、及びホワイトを利用して色を表示する表示装置が提案されている。
【先行技術文献】
【特許文献】
【０００５】
【特許文献１】米国特許第８，５８７，５０４号明細書
【特許文献２】米国特許出願公開第２０１４／０２３２６２４号明細書
【特許文献３】韓国公開特許第１０−１３０８４５２号公報
【特許文献４】韓国公開特許第１０−１３４５７２８号公報
【発明の概要】
【発明が解決しようとする課題】
【０００６】
本発明の目的は、水平クロストーク現象とムービングラインステイン（ｍｏｖｉｎｇ  ｌｉｎｅ−ｓｔａｉｎ）現象とを減少、又は除去できる表示装置を提供することにある。
【課題を解決するための手段】
【０００７】
本発明の実施形態による表示装置は、第１方向に延長される複数のゲートライン、前記第１方向と交差する第２方向に延長される複数のデータライン、及び前記ゲートライン及び前記データラインに接続された複数の画素を含む。前記画素は、ｋ番目のデータライン及びｋ＋１番目のデータラインの間に位置するｋ番目の列の画素を含む。前記ｋ番目の列の画素は、多数のグループに配列され、各グループは、前記ｋ番目のデータラインに接続される２ｉ個の第１画素と前記ｋ＋１番目のデータラインに接続される２ｉ個の第２画素とからなる。
【０００８】
前記ｋ番目の列の画素は、前記ｋ番目のデータラインと前記ｋ＋１番目のデータラインとに１つのグループを周期に交互に接続され、各グループの画素は、前記ｋ番目のデータラインと前記ｋ＋１番目のデータラインとに交互に接続される。前記画素の各々の前記第１方向への幅は、前記第２方向への幅より大きい。
【発明の効果】
【０００９】
本発明の表示装置、及びその駆動方法によれば、水平クロストーク現象とムービングラインステイン現象とを改善することができる。また、本発明の表示装置によれば、フレーム毎に輝度差によるフリッカが視認されることを防止することができる。
【図面の簡単な説明】
【００１０】
【図１】本発明の実施形態による液晶表示装置の概略的なブロック図である。
【図２】図１に図示された１つの画素の等価回路図である。
【図３】本発明の一実施形態による液晶パネルの一部を示した平面図である。
【図４Ａ】図３に図示された画素の中で第１及び第２レッド画素をターンオンさせた状態を示した平面図である。
【図４Ｂ】図３に図示された画素の中で第１及び第２グリーン画素をターンオンさせた状態を示した平面図である。
【図４Ｃ】図３に図示された画素の中で第１及び第２ブルー画素をターンオンさせた状態を示した平面図である。
【図４Ｄ】図３に図示されたすべての画素をターンオンさせた状態を示した平面図である。
【図５】本発明の他の実施形態による液晶パネルの一部を示した平面図である。
【図６】本発明の他の実施形態による液晶パネルの一部を示した平面図である。
【図７】本発明の他の実施形態による液晶パネルの一部を示した平面図である。
【図８】本発明の他の実施形態による液晶パネルの一部を示した平面図である。
【図９】本発明の他の実施形態による液晶パネルの一部を示した平面図である。
【図１０Ａ】図９に図示された画素の中で、レッドカラーを有する画素をターンオンさせた状態を示した平面図である。
【図１０Ｂ】図９に図示された画素の中で、グリーンカラーを有する画素をターンオンさせた状態を示した平面図である。
【図１０Ｃ】図９に図示された画素の中で、ブルーカラーを有する画素をターンオンさせた状態を示した平面図である。
【図１０Ｄ】図９に図示されたすべての画素をターンオンさせた状態を示した平面図である。
【図１１】本発明の他の実施形態による液晶パネルの一部を示した平面図である。
【図１２】本発明の他の実施形態による液晶パネルの一部を示した平面図である。
【図１３】本発明のその他の実施形態による液晶パネルの一部を示した平面図である。
【図１４】本発明のその他の実施形態による液晶パネルの一部を示した平面図である。
【図１５】本発明のその他の実施形態による液晶パネルの一部を示した平面図である。
【発明を実施するための形態】
【００１１】
本発明は、多様な変更を加えることができ、様々な形態を有することができるので、特定な実施形態を図面に例示し、本文で詳細に説明する。しかし、これは、本発明を特定な開示の形態に対して限定しようとすることでなく、本発明の思想、及び技術範囲に含まれるすべての変更、均等物乃至代替物を含むこととして理解しなければならない。
【００１２】
図１は、本発明の実施形態による液晶表示装置の概略的なブロック図であり、図２は、図１に図示された１つの画素の等価回路図である。
【００１３】
図１を参照すれば、本発明の実施形態による液晶表示装置１０００は、液晶パネル１００、コントローラ２００、ゲートドライバ３００、及びデータドライバ４００を含む。液晶パネル１００は、下部基板１１０、下部基板１１０に対向する上部基板１２０、及び二つの基板１１０、１２０の間に配置された液晶層１３０を含む。
【００１４】
液晶パネル１００は、第１方向ＤＲ１に延長される複数のゲートラインＧ１〜Ｇｍと第１方向ＤＲ１と交差する第２方向ＤＲ２に延長される複数のデータラインＤ１〜Ｄｎとを含む。ゲートラインＧ１〜Ｇｍ及びデータラインＤ１〜Ｄｎは、画素領域を定義し、画素領域には映像を表示する画素ＰＸが一対一に対応して具備される。図１には、多数の画素ＰＸの中で第１ゲートラインＧ１と第１データラインＤ１とに接続された１×１画素を一例として図示した。
【００１５】
図１及び図２を参照すれば、１×１画素ＰＸは、第１ゲートラインＧ１と第１データラインＤ１とに接続された薄膜トランジスタＴＲ、薄膜トランジスタＴＲに接続された液晶キャパシタＣｌｃ（ｌｉｑｕｉｄ  ｃｒｙｓｔａｌ  ｃａｐａｃｉｔｏｒ）、及び液晶キャパシタＣｌｃに並列で接続されたストレージキャパシタＣｓｔ（ｓｔｏｒａｇｅ  ｃａｐａｃｉｔｏｒ）を含む。ストレージキャパシタＣｓｔは、必要によって省略することができる。液晶キャパシタＣｌｃは、下部基板１１０に具備された画素電極ＰＥと上部基板１２０に具備された共通電極ＣＥとを二つの端子とし、二つの電極ＰＥ、ＣＥの間の液晶層１３０は、誘電体として機能する。
【００１６】
薄膜トランジスタＴＲは、下部基板１１０に具備される。薄膜トランジスタＴＲのゲート電極は、第１ゲートラインＧ１と接続され、ソース電極は、第１データラインＤ１と接続され、ドレーン電極は、画素電極ＰＥと接続される。共通電極ＣＥは、上部基板１２０に全面的に形成され、共通電圧を受信する。図２とは異なり、共通電極ＣＥが下部基板１１０に具備される場合もあり、この時には二つの電極ＰＥ、ＣＥの少なくとも１つがスリットを具備してもよい。
【００１７】
ストレージキャパシタＣｓｔは、液晶キャパシタＣｌｃの補助的な役割をし、画素電極ＰＥ、ストレージライン（未図示）、画素電極ＰＥとストレージライン（未図示）との間に配置された絶縁体を含む。ストレージライン（未図示）は、下部基板１１０に具備されて画素電極ＰＥの一部と重畳する。ストレージライン（未図示）には、ストレージ電圧のような一定な電圧が印加される。
【００１８】
図２には、図示しなかったが、本発明の他の実施形態の表示装置１０００は、画素ＰＸの各々が２つの諧調領域に分離される構造を有する。具体的には、各画素ＰＸは、少なくとも２つのサブ画素から構成され、２つのサブ画素の各々は、互いに異なるガンマ曲線に基づいたデータ電圧を受信して同一入力の映像データに対して互いに異なる階調の映像を表示する。
【００１９】
画素は、主要色（ｐｒｉｍａｒｙ  ｃｏｌｏｒ）のうちの１つを表示する。主要色は、レッド、グリーン、ブルー、及びホワイトカラーである。画素は、イエロー、シアン、マゼンタカラーをさらに表示することができる。画素の各々は、主要色のうちの１つを示すカラーフィルタＣＦをさらに含む。図２には、カラーフィルタＣＦが上部基板１２０に具備される例を図示したが、これに制限されるものではなく、カラーフィルタＣＦは、下部基板１１０に具備されてもよい。
【００２０】
コントローラ２００は、外部のグラフィック制御部（図示せず）から映像データＲＧＢ、及び制御信号を受信する。制御信号は、フレームの区別信号である垂直同期信号（以下、‘Ｖｓｙｎｃ信号’と称する）、行の区別信号である水平同期信号（以下、‘Ｈｓｙｎｃ信号’と称する）、データが入ってくる区域を表示するためにデータが出力される区間の間のみがハイ（ＨＩＧＨ）レベルを有するデータイネーブル信号（以下‘ＤＥ信号’と称する）、及びメーンクロック信号ＭＣＬＫを含む。
【００２１】
コントローラ２００は、映像データＲＧＢをデータドライバ４００の仕様に合うように変換し、変換された映像データＤＡＴＡをデータドライバ４００に出力する。コントローラ２００は、ゲート制御信号ＧＳ１及びデータ制御信号ＤＳ１を生成する。コントローラ２００は、ゲート制御信号ＧＳ１をゲートドライバ３００に出力し、データ制御信号ＤＳ１をデータドライバ４００に出力する。
【００２２】
ゲート制御信号ＧＳ１は、ゲートドライバ３００を駆動するための信号であり、データ制御信号ＤＳ１は、データドライバ４００を駆動するための信号である。
【００２３】
ゲートドライバ３００は、ゲート制御信号ＧＳ１に応答してゲート信号を生成し、ゲート信号をゲートラインＧ１〜Ｇｍに順次出力する。ゲート制御信号ＧＳ１は、走査開始を指示する垂直開始信号とゲートオン電圧の出力周期を制御する少なくとも１つのクロック信号、及びゲートオン電圧の持続時間を限定する出力イネーブル信号等を含む。
【００２４】
データドライバ４００は、データ制御信号ＤＳ１に応答して映像データＤＡＴＡに対応する諧調電圧に変換し、諧調電圧をデータラインＤ１〜Ｄｎのうちの該当データラインにデータ電圧として出力する。データ電圧は、共通電圧に対して正の値を有する正極性のデータ電圧と負の値を有する負極性のデータ電圧とを含む。データ制御信号ＤＳ１は、映像データＤＡＴＡがデータドライバ４００に伝送されることの開始を知らせる水平開始信号ＳＴＨ、データラインＤ１〜Ｄｎにデータ電圧を印加するようにロード信号、及び共通電圧に対してデータ電圧の極性を反転させる反転信号等を含む。
【００２５】
画素ＰＸに印加されるデータ電圧の極性は、液晶の劣化を防止するために一つのフレームが終わって、次のフレームが開始される前に反転される。即ち、データドライバ４００に印加される反転信号に応答して一つのフレーム単位にデータ電圧の極性が反転される。液晶パネル１００は、一つのフレームの映像を表示する時、画質の向上のために少なくとも１つのデータライン単位に互いに異なる極性のデータ電圧が印加される方式で駆動される。
【００２６】
タイミングコントローラ２００、ゲートドライバ３００、及びデータドライバ４００の各々は、少なくとも１つの集積回路チップのとして液晶パネル１００に直接装着されるか、或いは可撓性の印刷回路基板（ｆｌｅｘｉｂｌｅ  ｐｒｉｎｔｅｄ  ｃｉｒｃｕｉｔ  ｂｏａｒｄ）の上に装着されてＴＣＰ（ｔａｐｅ  ｃａｒｒｉｅｒ  ｐａｃｋａｇｅ）として液晶パネル１００に付着されるか、或いは他の印刷回路基板（ｐｒｉｎｔｅｄ  ｃｉｒｃｕｉｔ  ｂｏａｒｄ）の上に装着される。これとは異なり、ゲートドライバ３００及びデータドライバ４００のうちの少なくとも１つは、ゲートラインＧ１〜Ｇｍ、データラインＤ１〜Ｄｎ、及び薄膜トランジスタＴＲと共に液晶パネル１００に集積されてもよい。また、コントローラ２００、ゲートドライバ３００、及びデータドライバ４００は、単一のチップに集積されてもよい。
【００２７】
図３は、本発明の一実施形態による液晶パネルの一部を示した平面図である。
【００２８】
図３を参照すれば、画素は、ｋ番目のデータライン（ｋは、１以上の整数）及びｋ＋１番目のデータラインの間に位置するｋ番目の列の画素を含む。
【００２９】
ｋ番目の列の画素は、第２方向ＤＲ２に連続して配列される多数のグループにグルーピングされ、各グループは、ｋ番目のデータラインに接続される２ｎ個の第１画素ＰＸ１（ｎは、１以上の整数）とｋ＋１番目のデータラインに接続される２ｎ個の第２画素ＰＸ２とを含む。多数のグループの各々は、偶数個の画素を含む。ｋ番目の列の画素は、ｋ番目のデータラインとｋ＋１番目のデータラインとに一つのグループを周期にして交互に接続される。
【００３０】
以下、図３、図５乃至図８を参照して、第１乃至第８ゲートラインＧ１、Ｇ２、Ｇ３、Ｇ４、Ｇ５、Ｇ６、Ｇ７、Ｇ８、第１乃至第８データラインＤ１、Ｄ２、Ｄ３、Ｄ４、Ｄ５、Ｄ６、Ｄ７、Ｄ８、及びラインＧ１〜Ｇ８、Ｄ１〜Ｄ８によって定義される８行８列の画素ＰＸ（８×８）を一例に挙げて説明する。
【００３１】
８行の画素ＰＲ１、ＰＲ２、ＰＲ３、ＰＲ４、ＰＲ５、ＰＲ６、ＰＲ７、ＰＲ８（以下、第１乃至第８画素行）は、第２方向ＤＲ２に順に配置され、８列の画素ＰＣ１、ＰＣ２、ＰＣ３、ＰＣ４、ＰＣ５、ＰＣ６、ＰＣ７、ＰＣ８（以下、第１乃至第８画素列）は、第１方向ＤＲ１に順に配置される。第１乃至第８画素行ＰＲ１〜ＰＲ８は、第１乃至第８ゲートラインＧ１〜Ｇ８の各々に一対一に対応して接続される。
【００３２】
第１画素列ＰＣ１は、第１及び第２データラインＤ１、Ｄ２の間に配置され、第２画素列ＰＣ２は、第２及び第３データラインＤ２、Ｄ３の間に配置され、第３画素列ＰＣ３は、第３及び第４データラインＤ３、Ｄ４に配置される。第１乃至第８画素列ＰＣ１〜ＰＣ８の各々は、同一の接続構造を有するので、以下では、第１画素列ＰＣ１の接続構造を説明し、残る第２乃至第８画素列ＰＣ２〜ＰＣ８の接続構造に対する説明は、省略する。
【００３３】
第１乃至第８画素列ＰＣ１〜ＰＣ８の各々は、第２方向ＤＲ２に連続して配列される多数のグループＰＧ１、ＰＧ２を含む。第１画素列ＰＣ１のグループＰＧ１、ＰＧ２の各々は、第１データラインＤ１に接続される２ｉ個（ｉは、１以上の整数）の第１画素ＰＸ１と第２データラインＤ２に接続される２ｉ個の第２画素ＰＸ２とを含む。本発明の一例として、図３では、ｉが１である場合を図示した。各グループＰＧ１、ＰＧ２は、２つの第１画素ＰＸ１及び２つの第２画素ＰＸ２を含む。ここで、第１画素列ＰＣ１の第１画素ＰＸ１は、第１データラインＤ１に接続され、第２画素ＰＸ２は、第２データラインＤ２に接続される。各グループに具備される２つの第１画素ＰＸ１は、互に異なるカラーを有し、各グループに具備される２つの第２画素ＰＸ２は、互に異なるカラーを有する。
【００３４】
第１画素列ＰＣ１の画素は、第１データラインＤ１と第２データラインＤ２とに一つのグループＰＧ１、ＰＧ２を周期にして反転されて接続される。本発明の一例として、多数のグループＰＧ１、ＰＧ２のうちの第１グループＰＧ１は、第１及び第３画素行ＰＲ１、ＰＲ３に位置して第１及び第３ゲートラインＧ１、Ｇ３の各々に接続される２つの第１画素ＰＸ１を含む。第１グループＰＧ１は、第２及び第４画素行ＰＲ２、ＰＲ４に位置して第２及び第４ゲートラインＧ２、Ｇ４の各々に接続される２つの第２画素ＰＸ２を含む。多数のグループＰＧ１、ＰＧ２の中で第２グループＰＧ２は、第６及び第８画素行ＰＲ６、ＰＲ８に位置して第６及び第８ゲートラインＧ６、Ｇ８の各々に接続された２つの第１画素ＰＸ１を含む。第２グループＰＧ２は、第５及び第７画素行ＰＲ５、ＰＲ７に位置して第５及び第７ゲートラインＧ５、Ｇ７の各々に接続された２つの第２画素ＰＸ２を含む。１つのグループ単位に第１及び第２画素ＰＸ１、ＰＸ２が位置する行が反転される。即ち、第１グループＰＧ１で第１画素ＰＸ１は、奇数番目の画素行に位置し、第２画素ＰＸ２は、偶数番目の画素行に位置するが、第２グループＰＧ２で第１画素ＰＸ１は、偶数番目の画素行に位置し、第２画素ＰＸ２は、奇数番目の画素行に位置する。本発明の一例として、第４ゲートラインＧ４を基準に第１グループＰＧ１の画素ＰＸ１、ＰＸ２と第２グループＰＧ２の画素ＰＸ２、ＰＸ１とは、互いに対称な構造を有する。
【００３５】
したがって、各画素列ＰＣ１〜ＰＣ８の第１、第３、第６、及び第８画素行ＰＲ１、ＰＲ３、ＰＲ６、ＰＲ８には第１画素ＰＸ１が位置して、各画素列ＰＣ１〜ＰＣ８に隣接する２つのデータラインのうちの左側のデータラインに接続される。各画素列ＰＣ１〜ＰＣ８の第２、第４、第５及び第７画素行ＰＲ２、ＰＲ４、ＰＲ５、ＰＲ７には第２画素ＰＸ２が位置して、各画素列ＰＣ１〜ＰＣ８に隣接する２つのデータラインのうちの右側のデータラインに接続される。
【００３６】
第１乃至第８データラインＤ１〜Ｄ８には、第１乃至第８データ電圧の各々が印加され、第１乃至第８データ電圧の各々は、共通電極ＣＥ（図２に図示される）に印加される基準電圧に対して正極性（＋）、又は負極性（−）を有する。図３で、各画素に提供されるデータ電圧の極性は、ｊ番目のフレーム（ｊは、１以上の整数）の極性を示したものであって、ｊ＋１番目のフレームで各画素に提供されるデータ電圧の極性は、反転される。即ち、図１のデータドライバ４００は、フレーム毎にデータラインＤ１〜Ｄｎに出力されるデータ電圧の極性を反転させる。
【００３７】
第１乃至第８データ電圧の極性は、第１方向ＤＲ１に２ｚ個のデータラインを周期に反転される。本発明の一例として、ｚが２である場合を図示した。図３で、第１乃至第４データラインＤ１〜Ｄ４の各々に印加される第１乃至第４データ電圧の各々は、＋、−、＋、−の極性を有し、第５乃至第８データラインＤ５〜Ｄ８の各々に印加される第５乃至第８データ電圧の各々は、−、＋、−、＋の極性を有する。したがって、第１、第３、第６、及び第８データラインＤ１、Ｄ３、Ｄ６、Ｄ８には正極性（＋）のデータ電圧が印加され、第２、第４、第５、及び第７データラインＤ２、Ｄ４、Ｄ５、Ｄ７には負極性（−）のデータ電圧が印加される。
【００３８】
第１乃至第８画素列ＰＣ１〜ＰＣ８の各々の画素は、第２方向ＤＲ２に４つのカラー単位に反復されるように配列される。したがって、第１乃至第８画素列ＰＣ１〜ＰＣ８の各々の画素のうちの第１及び第５画素行ＰＲ１、ＰＲ５の画素は、互いに同一のカラーを有し、第２及び第６画素行ＰＲ２、ＰＲ６の画素は、互いに同一のカラーを有し、第３及び第７画素行ＰＲ３、ＰＲ７の画素は、互いに同一のカラーを有し、第４及び第８画素行ＰＲ４、ＰＲ８の画素は、互いに同一のカラーを有する。
【００３９】
本発明の一例として、第１、第３、第５、及び第７画素列ＰＣ１、ＰＣ３、ＰＣ５、ＰＣ７の第１及び第５画素行ＰＲ１、ＰＲ５に位置する画素は、レッドカラーＲを有し、第１、第３、第５、及び第７画素列ＰＣ１、ＰＣ３、ＰＣ５、ＰＣ７の第２及び第６画素行ＰＲ２、ＰＲ６に位置する画素は、グリーンカラーＧを有する。第１、第３、第５、及び第７画素列ＰＣ１、ＰＣ３、ＰＣ５、ＰＣ７の第３及び第７画素行ＰＲ３、ＰＲ７に位置する画素は、ブルーカラーＢを有し、第１、第３、第５、及び第７画素列ＰＣ１、ＰＣ３、ＰＣ５、ＰＣ７の第４及び第８画素行ＰＲ４、ＰＲ８に位置する画素は、ホワイトカラーＷを有する。第２、第４、第６及び第８画素列ＰＣ２、ＰＣ４、ＰＣ６、ＰＣ８の第１及び第５画素行ＰＲ１、ＰＲ５に位置する画素は、ブルーカラーＢを有し、第２、第４、第６、及び第８画素列ＰＣ２、ＰＣ４、ＰＣ６、ＰＣ８の第２及び第６画素行ＰＲ２、ＰＲ６に位置する画素は、ホワイトカラーＷを有する。第２、第４、第６、及び第８画素列ＰＣ２、ＰＣ４、ＰＣ６、ＰＣ８の第３及び第７画素行ＰＲ３、ＰＲ７に位置する画素は、レッドカラーＲを有し、第２、第４、第６、及び第８画素列ＰＣ２、ＰＣ４、ＰＣ６、ＰＣ８の第４及び第８画素行ＰＲ４、ＰＲ８に位置する画素は、グリーンカラーＧを有する。
【００４０】
図３で、レッドカラーを有する画素をＲ、グリーンカラーを有する画素をＧ、ブルーカラーを有する画素をＢ、ホワイトカラーを有する画素をＷに表記する。また、正極性（＋）のデータ電圧を印加される画素をＲ＋、Ｇ＋、Ｂ＋、及びＷ＋に表記し、負極性（−）のデータ電圧を印加される画素をＲ−、Ｇ−、Ｂ−、及びＷ−に表記する。
【００４１】
画素の配置順序は、図３の場合に制限されるものではなく、多様な形態に変更することができる。即ち、各画素行の内でレッド、グリーン、ブルー、及びホワイト画素Ｒ、Ｇ、Ｂ、Ｗの位置は、多様に変更することができる。本発明の一例として、各画素行の画素は、同一のカラーを有する２つの画素のグループに反復されるように配列され、各画素列で画素は、同一のカラーを有する４つの画素のグループに反復されるように配列される。
【００４２】
第１画素列ＰＣ１の第１グループＰＧ１の第１レッド画素Ｒ＋は、第１データラインＤ１に接続され、第２グループＰＧ２の第２レッド画素Ｒ−は、第２データラインＤ２に接続される。第１画素列ＰＣ１の第１グループＰＧ１の第１グリーン画素Ｇ−は、第２データラインＤ２に接続され、第２グループＰＧ２の第２グリーン画素Ｇ＋は、第１データラインＤ１に接続される。第１画素列ＰＣ１の第１グループＰＧ１の第１ブルー画素Ｂ＋は、第１データラインＤ１に接続され、第２グループＰＧ２の第２ブルー画素Ｂ−は、第２データラインＤ２に接続される。第１画素列ＰＣ１の第１グループＰＧ１の第１ホワイト画素Ｗ−は、第２データラインＤ２に接続され、第２グループＰＧ２の第２ホワイト画素Ｗ＋は、第１データラインＤ１に接続される。
【００４３】
したがって、第１画素列ＰＣ１の第１グループＰＧ１で第１カラーを表示する画素は、第２グループＰＧ２で第１カラーを表示する画素と互いに異なる極性のデータ電圧を受信する。第１カラーは、レッド、グリーン、ブルー、及びホワイトカラーのうちのいずれか一つであってもよい。データ電圧の極性が４つのデータライン毎に反転される。即ち、連続する４つのデータラインの各グループは、隣接するグループと反対の極性を有する。画素が上記のようにデータラインに接続される場合、４つの画素列のうちの３つの画素列で同一のカラーを表示する画素は、２つの極性のデータ電圧を受信する同一のカラー画素を具備し、４つの画素列のうちの１つの画素列は、一つの極性のデータ電圧を受信する同一のカラー画素を具備する。即ち、連続する４つの画素列のうち、３つの画素列は、各カラーで互いに異なる２つの極性のデータ電圧を受信する反面、４番目の画素列は、各カラーで単なる一つの極性のデータ電圧を受信する。
【００４４】
本発明の実施形態で、第１画素列ＰＣ１の第２画素ＰＸ２に隣接してダミー画素ＤＰＸが具備される。ダミー画素ＤＰＸは、第１データラインＤ１に接続される。ダミー画素ＤＰＸは、画素列毎に具備されるものではなく、多数の画素列のうちの第１画素列ＰＣ１の第２画素ＰＸ２に隣接して配置され、最後の画素列の第１画素ＰＸ１に隣接して配置される。
【００４５】
したがって、第１データラインＤ１に接続されたダミー画素ＤＰＸは、第２画素ＰＸ２が配置される奇数番目の画素行に位置し、最後データラインＤｎに接続されたダミー画素ＤＰＸは、第１画素ＰＸ１が配置される偶数番目の画素行に位置する。
【００４６】
液晶パネル１１０には、レッド、グリーン、ブルー、及びホワイト画素Ｒ、Ｇ、Ｂ、Ｗが第２方向Ｄ２に反複して配列される。レッド、グリーン、ブルー、及びホワイト画素Ｒ、Ｇ、Ｂ、Ｗの各々は、第１方向Ｄ１への幅（以下、横幅）が第２方向Ｄ２への幅（以下、縦幅）より大きい横のピクセル構造を有する。縦幅に対する横幅の比率は、約２：１乃至３：１の範囲に位置する。
【００４７】
図４Ａは、図３に図示された画素のうちの第１及び第２レッド画素をターンオンさせた状態を示した平面図であり、図４Ｂは、図３に図示された画素のうちの第１及び第２グリーン画素をターンオンさせた状態を示した平面図であり、図４Ｃは、図３に図示された画素のうちの第１及び第２ブルー画素をターンオンさせた状態を示した平面図であり、図４Ｄは、図３に図示されたすべての画素をターンオンさせた状態を示した平面図である。
【００４８】
図４Ａを参照すれば、第１レッド画素Ｒ＋と第２レッド画素Ｒ−とにはすべて同一の階調を有するが、極性が異なるデータ電圧が印加される。しかし、同一の階調を有しても、キックバック電圧によって正極性（＋）のデータ電圧と負極性（−）のデータ電圧との間に電圧差が発生する。このような電圧差によって、第１レッド画素Ｒ＋と第２レッド画素Ｒ−との間には輝度偏差が発生する。図４Ａでは、説明を簡単にするために第１レッド画素Ｒ＋と第２レッド画素Ｒ−との輝度偏差のハッチングを互いに異ならせて示している。
【００４９】
一つの画素行を駆動する区間の間に該当画素行の画素に印加されるデータ電圧の極性が正極性（＋）に偏るか、或いは負極性（−）に偏った場合、データラインと共通電極とのカップリング現象によって共通電圧が正の方向に、又は負の方向にリップルされる現象が発生する。
【００５０】
しかし、図４Ａに示したように、第１レッド画素Ｒ＋と第２レッド画素Ｒ−とは、第１方向ＤＲ１に反複して位置する。即ち、正極性のデータ電圧を受信する第１レッド画素Ｒ＋の個数と負極性のデータ電圧を受信する第２レッド画素Ｒ−の個数とは、１つの画素行の内で互いに同一である。レッドカラーのみではなく、他のカラーを表示する画素に対しても正極性のデータ電圧を受信する画素の個数は、各画素行の内で負極性のデータ電圧を受信する画素の個数と同一である。したがって、共通電圧が基準電圧を基準に正の方向に、又は負の方向にリップルされないので、水平クロストーク現象を防止することができる。
【００５１】
第１レッド画素Ｒ＋と第２レッド画素Ｒ−とは、第２方向ＤＲ２に反複して位置する。即ち、正極性のデータ電圧を受信する第１レッド画素Ｒ＋の個数と負極性のデータ電圧を受信する第２レッド画素Ｒ−の個数は、１つの画素列の内で互いに同一である。レッドカラーのみではなく、他のカラーを表示する画素に対しても正極性のデータ電圧を受信する画素の個数は、各画素行の内で負極性のデータ電圧を受信する画素の個数と同一である。したがって、画素列の単位に輝度差が発生しないので、ｉ番目のフレームからｉ＋１番目のフレームに進行する時、縦のラインが移動するように視認されるムービングラインステインが表示されない。
【００５２】
図４Ｂ及び図４Ｃでも、同様に、第１グリーン画素Ｇ＋と第２グリーン画素Ｇ−と、第１ブルー画素Ｂ＋と第２ブルー画素Ｂ−とは、第１方向ＤＲ１及び第２方向ＤＲ２に反複して位置し、１つの画素行及び１つの画素列の単位に輝度差が発生しないので、水平クロストーク現象、又はムービングラインステイン現象等を防止することができる。
【００５３】
このように、レッドのみではなく、グリーン、ブルー、ホワイトカラーの画素に対しても正極性の画素と負極性の画素が該当画素行及び該当画素列において反複して位置し、グリーン、ブルー、ホワイトカラーの画素に対して、正極性の画素と負極性の画素の個数が互いに同一である。したがって、図４Ｄに示したように、すべてのカラーの画素を駆動しても、１つの画素行及び１つの画素列の単位に輝度差が発生しない。したがって、水平クロストーク現象、又はムービングラインステイン現象等が発生することを防止することができる。
【００５４】
図５は、本発明の他の実施形態による液晶パネルの一部を示した平面図である。
【００５５】
図５を参照すれば、本発明の他の実施形態であり、第１乃至第４データラインＤ１〜Ｄ４の各々に印加される第１乃至第４データ電圧の各々は、＋、−、−、＋の極性を有し、第５乃至第８データラインＤ５〜Ｄ８の各々に印加される第５乃至第８データ電圧の各々は、−、＋、＋、−の極性を有する。したがって、第１、第４、第６、及び第７データラインＤ１、Ｄ４、Ｄ６、Ｄ７には、正極性（＋）のデータ電圧が印加され、第２、第３、第５、及び第８データラインＤ２、Ｄ３、Ｄ５、Ｄ８には、負極性（−）のデータ電圧が印加される。
【００５６】
第１乃至第８画素列ＰＣ１〜ＰＣ８の各々の画素は、第２方向ＤＲ２に４つのカラー単位に反復されるように配列される。各画素行の画素は、２つのカラー単位に反復されるように配列される。したがって、第１乃至第８画素列ＰＣ１〜ＰＣ８の各々の画素のうちの第１及び第５画素行ＰＲ１、ＰＲ５の画素は、互いに同一のカラーを有し、第２及び第６画素行ＰＲ２、ＰＲ６の画素は、互いに同一のカラーを有する。また、第３及び第７画素行ＰＲ３、ＰＲ７の画素は、互いに同一のカラーを有し、第４及び第８画素行ＰＲ４、ＰＲ８の画素は、互いに同一のカラーを有する。
【００５７】
本発明の一例として、第１、第３、第５、及び第７画素列ＰＣ１、ＰＣ３、ＰＣ５、ＰＣ７の第１及び第５画素行ＰＲ１、ＰＲ５に位置する画素は、レッドカラーＲを有し、第１、第３、第５、及び第７画素列ＰＣ１、ＰＣ３、ＰＣ５、ＰＣ７の第２及び第６画素行ＰＲ２、ＰＲ６に位置する画素は、グリーンカラーＧを有する。第１、第３、第５、及び第７画素列ＰＣ１、ＰＣ３、ＰＣ５、ＰＣ７の第３及び第７画素行ＰＲ３、ＰＲ７に位置する画素は、ブルーカラーＢを有し、第１、第３、第５、及び第７画素列ＰＣ１、ＰＣ３、ＰＣ５、ＰＣ７の第４及び第８画素行ＰＲ４、ＰＲ８に位置する画素は、ホワイトカラーＷを有する。第２、第４、第６、及び第８画素列ＰＣ２、ＰＣ４、ＰＣ６、ＰＣ８の第１及び第５画素行ＰＲ１、ＰＲ５に位置する画素は、ブルーカラーＢを有し、第２、第４、第６、及び第８画素列ＰＣ２、ＰＣ４、ＰＣ６、ＰＣ８の第２及び第６画素行ＰＲ２、ＰＲ６に位置する画素は、ホワイトカラーＷを有する。第２、第４、第６、及び第８画素列ＰＣ２、ＰＣ４、ＰＣ６、ＰＣ８の第３及び第７画素行ＰＲ３、ＰＲ７に位置する画素は、レッドカラーＲを有し、第２、第４、第６、及び第８画素列ＰＣ２、ＰＣ４、ＰＣ６、ＰＣ８の第４及び第８画素行ＰＲ４、ＰＲ８に位置する画素は、グリーンカラーＧを有する。
【００５８】
第１画素列ＰＣ１の第１グループＰＧ１の第１レッド画素Ｒ＋は、第１データラインＤ１に接続され、第２グループＰＧ２の第２レッド画素Ｒ−は、第２データラインＤ２に接続される。第１画素列ＰＣ１の第１グループＰＧ１の第１グリーン画素Ｇ−は、第２データラインＤ２に接続され、第２グループＰＧ２の第２グリーン画素Ｇ＋は、第１データラインＤ１に接続される。第１画素列ＰＣ１の第１グループＰＧ１の第１ブルー画素Ｂ＋は、第１データラインＤ１に接続され、第２グループＰＧ２の第２ブルー画素Ｂ−は、第２データラインＤ２に接続される。第１画素列ＰＣ１の第１グループＰＧ１の第１ホワイト画素Ｇ−は、第２データラインＤ２に接続され、第２グループＰＧ２の第２ホワイト画素Ｇ＋は、第１データラインＤ１に接続される。
【００５９】
したがって、第１画素列ＰＣ１の第１グループＰＧ１で第１カラーを表示する画素は、第２グループＰＧ２で第１カラーを表示する画素と互いに異なる極性のデータ電圧を受信する。第１カラーは、レッド、グリーン、ブルー、及びホワイトのうちのいずれか一つであってもよい。一例として、４つの画素列のうちの３つの画素列は、２つの極性のデータ電圧を受信する同一のカラー画素を具備し、４つの画素列のうちの１つの画素列は、一つの極性のデータ電圧を受信する同一のカラー画素を含む。図５に示したように、第１乃至第４画素列ＰＣ１〜ＰＣ４のうちの第１、第３及び第４画素列ＰＣ１、ＰＣ３、ＰＣ４の各々に位置する画素は、２つの異なる極性のデータ電圧を受信し、第２画素列ＰＣ２の画素は、すべて一つの極性のデータ電圧を受信する。
【００６０】
図６は、本発明の他の実施形態による液晶パネルの一部を示した平面図である。
【００６１】
図６を参照すれば、本発明のその他の実施形態であり、第１乃至第４データラインＤ１〜Ｄ４の各々に印加される第１乃至第４データ電圧の各々は、＋、＋、−、−の極性を有し、第５乃至第８データラインＤ５〜Ｄ８の各々に印加される第５乃至第８データ電圧の各々は、＋、＋、−、−の極性を有する。したがって、第１、第２、第５、及び第６データラインＤ１、Ｄ２、Ｄ５、Ｄ６には、正極性（＋）のデータ電圧が印加され、第３、第４、第７、及び第８データラインＤ３、Ｄ４、Ｄ７、Ｄ８には、負極性（−）のデータ電圧が印加される。
【００６２】
各画素行の画素は、２つのカラー単位で反復されるように配列され、各画素列で画素は、４つのカラー単位に反復されるように配列される。
【００６３】
本発明の一例として、第１、第３、第５、及び第７画素列ＰＣ１、ＰＣ３、ＰＣ５、ＰＣ７の第１及び第５画素行ＰＲ１、ＰＲ５に位置する画素は、レッドカラーＲを有し、第１、第３、第５、及び第７画素列ＰＣ１、ＰＣ３、ＰＣ５、ＰＣ７の第２及び第６画素行ＰＲ２、ＰＲ６に位置する画素は、グリーンカラーＧを有する。第１、第３、第５、及び第７画素列ＰＣ１、ＰＣ３、ＰＣ５、ＰＣ７の第３及び第７画素行ＰＲ３、ＰＲ７に位置する画素は、ブルーカラーＢを有し、第１、第３、第５、及び第７画素列ＰＣ１、ＰＣ３、ＰＣ５、ＰＣ７の第４及び第８画素行ＰＲ４、ＰＲ８に位置する画素は、ホワイトカラーＷを有する。第２、第４、第６、及び第８画素列ＰＣ２、ＰＣ４、ＰＣ６、ＰＣ８の第１及び第５画素行ＰＲ１、ＰＲ５に位置する画素は、ブルーカラーＢを有し、第２、第４、第６、及び第８画素列ＰＣ２、ＰＣ４、ＰＣ６、ＰＣ８の第２及び第６画素行ＰＲ２、ＰＲ６に位置する画素は、ホワイトカラーＷを有する。第２、第４、第６、及び第８画素列ＰＣ２、ＰＣ４、ＰＣ６、ＰＣ８の第３及び第７画素行ＰＲ３、ＰＲ７に位置する画素は、レッドカラーＲを有し、第２、第４、第６、及び第８画素列ＰＣ２、ＰＣ４、ＰＣ６、ＰＣ８の第４及び第８画素行ＰＲ４、ＰＲ８に位置する画素は、グリーンカラーＧを有する。
【００６４】
第２画素列ＰＣ２の第１グループＰＧ１の第１レッド画素Ｒ＋は、第２データラインＤ２に接続され、第２グループＰＧ２の第２レッド画素Ｒ−は、第３データラインＤ３に接続される。第２画素列ＰＣ２の第１グループＰＧ１の第１グリーン画素Ｇ−は、第３データラインＤ３に接続され、第２グループＰＧ２の第２グリーン画素Ｇ＋は、第２データラインＤ２に接続される。第２画素列ＰＣ２の第１グループＰＧ１の第１ブルー画素Ｂ＋は、第２データラインＤ２に接続され、第２グループＰＧ３の第２ブルー画素Ｂ−は、第３データラインＤ３に接続される。第２画素列ＰＣ２の第１グループＰＧ１の第１ホワイト画素Ｗ−は、第３データラインＤ３に接続され、第２グループＰＧ２の第２ホワイト画素Ｗ＋は、第２データラインＤ２に接続される。
【００６５】
したがって、第２画素列ＰＣ２の第１グループＰＧ１で第１カラーを表示する画素は、第２グループＰＧ２で第１カラーを表示する画素と互いに異なる極性のデータ電圧を受信する。第１カラーは、レッド、グリーン、ブルー、及びホワイトの中でいずれか一つであってもよい。第１方向ＤＲ１に連続する４つの画素列の中で２つの画素列は、２つの極性を有するデータ電圧を受信する同一のカラーを表示する画素を具備し、４つの画素列の中で２つの画素列は、一つの極性のデータ電圧を受信する同一のカラー画素を具備する。図６に示したように、第１乃至第４画素列ＰＣ１〜ＰＣ４のうちの第２及び第４画素列ＰＣ２、ＰＣ４の各々に位置する画素は、２つの異なる極性のデータ電圧を受信し、第１及び第３画素列ＰＣ１、ＰＣ３は、単なる一つの極性のデータ電圧を受信する。
【００６６】
図３乃至図６では、データラインに印加されるデータ電圧の極性が４つのデータラインを周期にして反転されることを図示した。しかし、本発明の他の一例として、データ電圧の極性は、２つのデータラインを周期にして反転されてもよい。
【００６７】
図７は、本発明の他の実施形態による液晶パネルの一部を示した平面図である。
【００６８】
図７を参照すれば、第１乃至第８画素列ＰＣ１〜ＰＣ８の各々は、第２方向ＤＲ２に連続して配列される多数のグループを含む。第１画素列ＰＣ１の各グループは、第１データラインＤ１に接続される２ｉ個の第１画素ＰＸ１と第２データラインに接続される２ｉ個の第２画素ＰＸ２とからなされる。本発明の一例として、図７では、ｉが１である場合を図示した。各グループは、２つの第１画素ＰＸ１及び２つの第２画素ＰＸ２を含む。
【００６９】
第１画素列ＰＣ１の画素は、第１データラインＤ１と第２データラインＤ２とに上記したグループを周期にして反転されて接続される。多数のグループのうちの第１グループＰＧ１の第１画素ＰＸ１は、第１及び第２画素行ＰＲ１、ＰＲ２の各々に位置し、第２画素ＰＸ２は、第３及び第４画素行ＰＲ３、ＰＲ４の各々に位置する。多数のグループのうちの第２グループＰＧ２の第１画素ＰＸ１は、第７及び第８画素行ＰＲ７、ＰＲ８の各々に位置し、第２画素ＰＸ２は、第５及び第６画素行ＰＲ５、ＰＲ６の各々に位置する。即ち、１つのグループ単位に第１及び第２画素ＰＸ１、ＰＸ２が位置する行が反転される。本発明の一例として、第１グループＰＧ１の画素と第１及び第２データラインＤ１、Ｄ２との接続構造は、第４ゲートラインＧ４を基準として、第２グループＰＧ２の画素と第１及び第２データラインＤ１、Ｄ２との接続構造に関して互いに対称となっている。
【００７０】
図７では、第１画素列ＰＣ１を代表として説明したが、残る画素列ＰＣ２〜ＰＣ８も第１画素列ＰＣ１と同一な構造を有する。
【００７１】
第１画素列ＰＣ１の第３、第４、第５及び第６画素行ＰＲ３、ＰＲ４、ＰＲ５、ＰＲ６に位置する第２画素ＰＸ２の各々に隣接してダミー画素ＤＰＸが具備される。ダミー画素ＤＰＸは、第１データラインＤ１に接続される。ダミー画素ＤＰＸは、画素列毎に具備されるものではなく、多数の画素列のうちの第１画素列ＰＣ１の第２画素ＰＸ２に隣接して配置され、最後の画素列の第１画素ＰＸ１に隣接して配置される。
【００７２】
したがって、図７でダミー画素ＤＰＸは、第３及び第４画素行ＰＲ３、ＰＲ４、第５及び第６画素行ＰＲ５、ＰＲ６に配置される。
【００７３】
図７に図示された画素のカラー配置は、図３、図５、及び図６に図示された画素のカラー配置と同一であるので、画素のカラー配置に対する具体的な説明は、省略する。
【００７４】
図８は、本発明の他の実施形態による液晶パネルの一部を示した平面図である。
【００７５】
図８を参照すれば、第１乃至第８画素列ＰＣ１〜ＰＣ８の各々は、第２方向ＤＲ２に連続して配列される多数のグループを含む。第１乃至第８画素列ＰＣ１〜ＰＣ８の中で第１画素列ＰＣ１の各グループは、第１データラインＤ１に接続される２つの第１画素ＰＸ１と第２データラインＤ２に接続される２つの第２画素ＰＸ２からなされる。
【００７６】
第１画素列ＰＣ１の画素は、第１データラインＤ１と第２データラインＤ２とに一つのグループを周期にして反転されて接続される。多数のグループのうちの第１グループＰＧ１の第１画素ＰＸ１は、第１及び第４画素行ＰＲ１、ＰＲ４の各々に位置し、第２画素ＰＸ２は、第２及び第３画素行ＰＲ２、ＰＲ３の各々に位置する。多数のグループのうちの第２グループＰＧ２の第１画素ＰＸ１は、第６及び第７画素行ＰＲ６、ＰＲ７の各々に位置し、第２画素ＰＸ２は、第５及び第８画素行ＰＲ５、ＰＲ８の各々に位置する。即ち、１つのグループ単位に第１及び第２画素ＰＸ１、ＰＸ２が位置する行が反転される。本発明の一例として、第１グループＰＧ１の画素と第１及び第２データラインＤ１、Ｄ２との接続構造は、第４ゲートラインＧ４を基準として、第２グループＰＧ２の画素と第１及び第２データラインＤ１、Ｄ２との接続構造に関して互いに対称となっている。
【００７７】
図８では、第１画素列ＰＣ１を代表として説明したが、残る画素列ＰＣ２〜ＰＣ８も第１画素列ＰＣ１と同一の構造を有する。したがって、各画素列の第１、第４、第６、及び第７画素行ＰＲ１、ＰＲ４、ＰＲ６、ＰＲ７に位置する画素は、各画素列に隣接する２つのデータラインのうちの左側のデータラインに接続され、第２、第３、第５、及び第８画素行ＰＲ２、ＰＲ３、ＰＲ５、ＰＲ８に位置する画素は、各画素列に隣接する２つのデータラインのうちの右側のデータラインに接続される。
【００７８】
第１画素列ＰＣ１の第２、第３、第５、及び第８画素行ＰＲ２、ＰＲ３、ＰＲ５、ＰＲ８に位置する第２画素ＰＸ２の各々に隣接してダミー画素が具備される。ダミー画素ＤＰＸは、第１データラインＤ１に接続される。ダミー画素ＤＰＸは、画素列毎に具備されるものではなく、多数の画素列のうちの第１画素列ＰＣ１の第２画素ＰＸ２に隣接して配置され、最後の画素列の第１画素ＰＸ１に隣接して配置されてもよい。
【００７９】
したがって、図８でダミー画素ＤＰＸは、第２及び第３画素行ＰＲ２、ＰＲ３、第５及び第８画素行ＰＲ５、ＰＲ８に配置される。
【００８０】
図９は、本発明のその他の実施形態による液晶パネルの一部を示した平面図である。
【００８１】
図９を参照すれば、本発明のその他の実施形態による表示装置は、第１及び第２ドットＤＯＴ１、ＤＯＴ２を含む。第１ドットＤＯＴ１は、第１乃至第３画素ＳＰＸ１、ＳＰＸ２、ＳＰＸ３を含み、第２ドットＤＯＴ２は、第４乃至第６画素ＳＰＸ４、ＳＰＸ５、ＳＰＸ６を含む。第１及び第２ドットＤＯＴ１、ＤＯＴ２は、第１方向ＤＲ１及び第２方向ＤＲ２に交互に配置される。第１及び第２ドットＤＯＴ１、ＤＯＴ２の各々は、３つの画素からなり、３つの画素を通じて１つのカラー映像の情報を表示する。
【００８２】
第１ドットＤＯＴ１において第１乃至第３画素ＳＰＸ１、ＳＰＸ２、ＳＰＸ３は、第１方向ＤＲ１に順次配列される。本発明の一例として、第１画素ＳＰＸ１は、第１カラー、例えば、レッドカラーＲを表示し、第２画素ＳＰＸ２は、第２カラー、例えば、グリーンカラーＧを表示し、第３画素ＳＰＸ３は、第３カラー、例えば、ブルーカラーＢを表示する。第１乃至第３画素ＳＰＸ１〜ＳＰＸ３の各々の横幅対縦幅の比率が約１：３であってもよい。
【００８３】
第２ドットＤＯＴ２において第４乃至第６画素ＳＰＸ４、ＳＰＸ５、ＳＰＸ６は、第１方向ＤＲ１に順次配列される。本発明の一例として、第４画素ＳＰＸ４は、第４カラー、例えば、レッドカラーＲを表示し、第５画素ＳＰＸ５は、第５カラー、例えば、グリーンカラーＧを表示し、第６画素ＳＰＸ６は、第６カラー、例えば、ホワイトカラーＷを表示する。
【００８４】
図９では、第１乃至第８ゲートラインＧ１、Ｇ２、Ｇ３、Ｇ４、Ｇ５、Ｇ６、Ｇ７、Ｇ８、及び第１乃至第１２データラインＤ１、Ｄ２、Ｄ３、Ｄ４、Ｄ５、Ｄ６、Ｄ７、Ｄ８、Ｄ９、Ｄ１０、Ｄ１１、Ｄ１２によって定義される８行４列のドットＤＯＴ（８×４）を一例に挙げて説明する。
【００８５】
８行のドットＤＴＲ１、ＤＴＲ２、ＤＴＲ３、ＤＴＲ４、ＤＴＲ５、ＤＴＲ６、ＤＴＲ７、ＤＴＲ８（以下、第１乃至第８ドット行）は、第２方向ＤＲ２に順に配置され、４列のドットＤＴＣ１、ＤＴＣ２、ＤＴＣ３、ＤＴＣ４（以下、第１乃至第４ドット列）は、第１方向ＤＲ１に順に配置される。第１乃至第８ドット行ＤＴＲ１〜ＤＴＲ８は、第１乃至第８ゲートラインＧ１〜Ｇ８の各々に一対一に対応して接続される。第１乃至第４ドット列ＤＴＣ１〜ＤＴＣ４のうちの奇数番目のドット列ＤＴＣ１、ＤＴＣ３において第１ドットＤＯＴ１は、奇数番目のドット行ＤＴＲ１、ＤＴＲ３、ＤＴＲ５、ＤＴＲ７に配置され、第２ドットＤＯＴ２は、偶数番目のドット行ＤＴＲ２、ＤＴＲ４、ＤＴＲ６、ＤＴＲ８に配置される。また、第１乃至第４ドット列ＤＴＣ１〜ＤＴＣ４のうちの偶数番目のドット列ＤＴＣ２、ＤＴＣ４において第１ドットＤＯＴ１は、偶数番目のドット行ＤＴＲ２、ＤＴＲ４、ＤＴＲ６、ＤＴＲ８に配置され、第２ドットＤＯＴ２は、奇数番目のドット行ＤＴＲ１、ＤＴＲ３、ＤＴＲ５、ＤＴＲ７に配置される。
【００８６】
第１乃至第４ドット列ＤＴＣ１〜ＤＴＣ４の各々は、第２方向ＤＲ２に交互に配列される多数の第１ドットグループＤＴＧ１及び多数の第２ドットグループＤＴＧ２を含む。第１ドットグループＤＴＧ１の各々は、２つの第１ドットＤＯＴ１及び２つの第２ドットＤＯＴ２を含み、第２ドットグループＤＴＧ２の各々は、２つの第１ドットＤＯＴ１及び２つの第２ドットＤＯＴ２を含む。
【００８７】
第１ドット列ＤＴＣ１は、第１及び第４画素ＳＰＸ１、ＳＰＸ４が第２方向ＤＲ２に交互に配列される第１画素列ＳＰＣ１、第２及び第５画素ＳＰＸ２、ＳＰＸ５が第２方向ＤＲ２に交互に配列される第２画素列ＳＰＣ２、及び第３及び第６画素ＳＰＸ３、ＳＰＸ６が第２方向ＤＲ２に交互に配列される第３画素列ＳＰＣ３からなる。
【００８８】
第１ドット列ＤＴＣ１で、第１ドットグループＤＴＧ１の第１ドットＤＯＴ１は、第１乃至第３データラインＤ１、Ｄ２、Ｄ３の各々に接続された第１乃至第３画素ＳＰＸ１、ＳＰＸ２、ＳＰＸ３を含み、第２ドットＤＯＴ２は、第２乃至第４データラインＤ２、Ｄ３、Ｄ４の各々に接続された第４乃至第６画素ＳＰＸ４、ＳＰＸ５、ＳＰＸ６を含む。第１ドット列ＤＴＣ１で、第２ドットグループＤＴＧ１の第１ドットＤＯＴ１は、第２乃至第４データラインＤ２、Ｄ３、Ｄ４の各々に接続された第１乃至第３画素ＳＰＸ１、ＳＰＸ２、ＳＰＸ３を含み、第２ドットＤＯＴ２は、第１乃至第３データラインＤ１、Ｄ２、Ｄ３の各々に接続された第４乃至第６画素ＳＰＸ４、ＳＰＸ５、ＳＰＸ６を含む。
【００８９】
第２ドット列ＤＴＣ２は、第４及び第１画素ＳＰＸ４、ＳＰＸ１が第２方向ＤＲ２に交互に配列される第４画素列ＳＰＣ４、第５及び第２画素ＳＰＸ５、ＳＰＸ２が第２方向ＤＲ２に交互に配列される第５画素列ＳＰＣ５、及び第６及び第３画素ＳＰＸ６、ＳＰＸ３が第２方向ＤＲ２に交互に配列される第６画素列ＳＰＣ６からなる。
【００９０】
第２ドット列ＤＴＣ２で、第１ドットグループＤＴＧ１の第１ドットＤＯＴ１は、第５乃至第７データラインＤ５、Ｄ６、Ｄ７の各々に接続された第１乃至第３画素ＳＰＸ１、ＳＰＸ２、ＳＰＸ３を含む。第１ドットグループＤＴＧ１の第２ドットＤＯＴ２は、第４乃至第６データラインＤ４、Ｄ５、Ｄ６の各々に接続された第４乃至第６画素ＳＰＸ４、ＳＰＸ５、ＳＰＸ６を含む。第２ドット列ＤＴＣ２で、第２ドットグループＤＴＧ２の第１ドットＤＯＴ１は、第４乃至第６データラインＤ４、Ｄ５、Ｄ６の各々に接続された第１乃至第３画素ＳＰＸ１、ＳＰＸ２、ＳＰＸ３を含み、第２ドットＤＯＴ２は、第５乃至第７データラインＤ５、Ｄ６、Ｄ７の各々に接続された第４乃至第６画素ＳＰＸ４、ＳＰＸ５、ＳＰＸ６を含む。
【００９１】
第１乃至第１２データラインＤ１〜Ｄ１２には，第１乃至第１２データ電圧の各々が印加され、第１乃至第１２データ電圧の各々は、共通電極ＣＥ（図２に図示される）に印加される基準電圧に対して正極性（＋）、又は負極性（−）を有する。図９で、各画素に提供されるデータ電圧の極性は、ｉ番目のフレームの極性を示したものであり、ｉ＋１番目のフレームで各画素に提供されるデータ電圧の極性は、反転される。即ち、図１のデータドライバ４００は、フレーム毎にデータラインＤ１〜Ｄｎに出力されるデータ電圧の極性を反転させる。
【００９２】
第１乃至第１２データ電圧の極性は、第１方向に６ｊ個のデータラインを周期に反転される。本発明の一例として、ｊが１である場合を図示した。図９で、第１乃至第６データラインＤ１〜Ｄ６の各々に印加される第１乃至第６データ電圧の各々は、＋、−、＋、−、＋、−の極性を有し、第７乃至第１２データラインＤ７〜Ｄ１２の各々に印加される第７乃至第１２データ電圧の各々は、−、＋、−、＋、−、＋の極性を有する。したがって、第１、第３、第５、第８、第１０及び第１２データラインＤ１、Ｄ３、Ｄ５、Ｄ８、Ｄ１０、Ｄ１２には、正極性（＋）のデータ電圧が印加され、第２、第４、第６、第７、第９及び第１１データラインＤ２、Ｄ４、Ｄ６、Ｄ７、Ｄ９、Ｄ１１には、負極性（−）のデータ電圧が印加される。
【００９３】
図９で、正極性のデータ電圧をＲ＋、Ｇ＋、Ｂ＋、及びＷ＋に表記し、負極性のデータ電圧をＲ−、Ｇ−、Ｂ−、及びＷ−に表記する。また、画素の配置順序は、図９の場合に制限されるものではなく、多様な形態に変更することができる。
【００９４】
第１及び第４画素列ＳＰＣ１、ＳＰＣ４の画素は、レッドカラーＲを有し、第２及び第５画素列ＳＰＣ２、ＳＰＣ５の画素は、グリーンカラーＧを有し、第３及び第６画素列ＳＰＣ３、ＳＰＣ６の画素は、ブルー、又はホワイトカラーＢ、Ｗを有する。
【００９５】
第１画素列ＳＰＣ１の第１ドットグループＤＴＧ１に属する第１画素ＳＰＸ１は、第１データラインＤ１に接続されて正極性のレッドのデータ電圧Ｒ＋を受信する。第１ドットグループＤＴＧ１に属する第４画素ＳＰＸ４は、第２データラインＤ２に接続されて負極性のレッドのデータ電圧Ｒ−を受信する。第１画素列ＳＰＣ１の第２ドットグループＤＴＧ２に属する第１画素ＳＰＸ１は、第２データラインＤ２に接続されて負極性のレッドのデータ電圧Ｒ−を受信する。第２ドットグループＤＴＧ２に属する第４画素ＳＰＸ４は、第１データラインＤ１に接続されて正極性のレッドのデータ電圧Ｒ＋を受信する。第２及び第３画素列ＳＰＣ２、ＳＰＣ３についてもカラーが異なるだけで第１画素列ＳＰＣ１と類似の接続構造を有する。
【００９６】
したがって、第１ドットグループＤＴＧ１の第１ドットＤＯＴ１に属する第１カラーを表示する画素は、第２ドットグループＤＴＧ２の第１ドットＤＯＴ１に属する第１カラーを表示する画素と互いに異なる極性のデータ電圧を受信する。第１カラーのみではなく、第２乃至第４カラーを表示する画素についても同一の効果が現れる。
【００９７】
本発明の実施形態で、第１ドット列ＤＴＣ１、及び第１ドットグループＤＴＧ１の第２ドットＤＯＴ２に隣接してダミー画素ＤＰＸが具備されるか、或いは第１ドット列ＤＴＣ１及び第２ドットグループＤＴＧ１の第１ドットＤＯＴ１に隣接してダミー画素ＤＰＸが具備される。ダミー画素ＤＰＸは、第１データラインＤ１に接続される。図面に図示しなかったが、多数のドット列の中で最後の画素列の第１ドットＤＯＴ１及び／又は第２ドットＤＯＴ２に隣接して配置されてもよい。
【００９８】
図１０Ａは、図９に図示された画素の中でレッドカラーを有する画素をターンオンさせた状態を示した平面図であり、図１０Ｂは、図９に図示された画素の中でグリーンカラーを有する画素をターンオンさせた状態を示した平面図であり、図１０Ｃは、図９に図示された画素の中でブルーカラーを有する画素をターンオンさせた状態を示した平面図であり、図１０Ｄは、図９に図示されたすべての画素をターンオンさせた状態を示した平面図である。
【００９９】
図１０Ａで、第１画素ＳＰＸ１には、正極性のレッドのデータ電圧Ｒ＋が印加され、第４画素ＳＰＸ４には、負極性のレッドのデータ電圧Ｒ−が印加される。正極性のレッドのデータ電圧Ｒ＋と負極性のレッドのデータ電圧Ｒ−とが同一の階調を有してもキックバック電圧によって正極性のレッドのデータ電圧Ｒ＋と負極性のレッドのデータ電圧Ｒ−との間に電圧差が発生する。このような電圧差によって、第１画素ＳＰＸ１と第４画素ＳＰＸ４との間には輝度偏差が発生する。図１０Ａでは、説明を簡単にするために第１画素ＳＰＸ１と第４画素ＳＰＸ４との間には輝度偏差のハッチングを異ならせて示した。
【０１００】
一つのドット行を駆動する区間の間に該当ドット行の画素に印加されるデータ電圧の極性が正極性（＋）に偏るか、或いは負極性（−）に偏った場合、データラインと共通電極のカップリング現象によって共通電圧が正の方向に、又は負の方向にリップルされる現象が発生する。
【０１０１】
しかし、図１０Ａに示したように、第１画素ＳＰＸ１と第４画素ＳＰＸ４とは、第１方向ＤＲ１に反複して位置して、該当ドット行の内で第１及び第４画素ＳＰＸ１、ＳＰＸ４の個数は、互いに同一である。したがって、共通電圧が基準電圧を基準に正の方向に、又は負の方向にリップルされないので、水平クロストーク現象を防止することができる。
【０１０２】
また、第１画素ＳＰＸ１と第４画素ＳＰＸ４とは、第２方向ＤＲ２に反複して位置し、該当ドット列の内で第１及び第４画素ＳＰＸ１、ＳＰＸ４の個数は、互いに同一である。したがって、ドット列の単位に輝度差が発生しないので、ｉ番目のフレームでｉ＋１番目のフレームに進行する時、縦のラインが移動するように視認されるムービングラインステインが表示されない。
【０１０３】
図１０Ｂでも、同様に、第２画素ＳＰＸ２と第５画素ＳＰＸ５とは、第１方向ＤＲ１及び第２方向ＤＲ２に反複して位置し、該当ドット列及び該当ドット行の内で第２及び第５画素ＳＰＸ２、ＳＰＸ５の個数は、互いに同一である。第２画素ＳＰＸ２には、負極性のグリーンのデータ電圧Ｇ−が印加され、第５画素ＳＰＸ５には、正極性のグリーンのデータ電圧Ｇ＋が印加される。したがって、グリーンカラーの画素に対してドット行及びドット列の単位に輝度差が発生しないので、水平クロストーク現象、又はムービングラインステイン現象等を防止することができる。
【０１０４】
図１０Ｃを参照すれば、第１ドットグループＤＴＧ１の第３画素ＳＰＸ３には、正極性のブルーのデータ電圧Ｂ＋が印加され、第２ドットグループＤＴＧ２の第３画素ＳＰＸ３には、負極性のブルーのデータ電圧Ｂ−が印加される。第１及び第２ドットグループＤＴＧ１、ＤＴＧ２は、第２方向ＤＲ２に交互に配置される。第３画素ＳＰＸ３は、第１方向ＤＲ１に互に異なるドット行に配置される。したがって、ブルーカラーの画素に対して、ドット行及びドット列の単位に輝度差が発生しないので、水平クロストーク現象、又はムービングラインステイン現象等を防止することができる。
【０１０５】
このように、レッドのみではなく、グリーン、ブルー、及びホワイトカラーの画素に対しても正極性を有する画素と負極性を有する画素とが該当ドット行及び該当ドット列において反複して位置し、グリーン、ブルー、ホワイトカラーの画素に対して正極性の画素と負極性の画素との個数が互いに同一である。したがって、図１０Ｄに示したように、すべてのカラーの画素を同時に駆動してもドット行、及びドット列の単位に輝度差が発生しない。したがって、水平クロストーク現象、又はムービングラインステイン現象等が発生しない。
【０１０６】
図１１は、本発明のその他の実施形態による液晶パネルの一部を示した平面図である。
【０１０７】
図１１を参照すれば、本発明のその他の実施形態による表示装置は、第１及び第２ドットＤＯＴ１、ＤＯＴ２を含む。第１ドットＤＯＴ１は、第１乃至第３画素ＳＰＸ１、ＳＰＸ２、ＳＰＸ３を含み、第２ドットＤＯＴ２は、第４乃至第６画素ＳＰＸ４、ＳＰＸ５、ＳＰＸ６を含む。第１及び第２ドットＤＯＴ１、ＤＯＴ２は、第１方向ＤＲ１及び第２方向ＤＲ２に交互に配置される。
【０１０８】
第１ドット列ＤＴＣ１で、第１及び第７ドット行ＤＴＲ１、ＤＴＲ７の第１ドットＤＯＴ１は、第１乃至第３データラインＤ１、Ｄ２、Ｄ３の各々に接続された第１乃至第３画素ＳＰＸ１、ＳＰＸ２、ＳＰＸ３を含み、第２及び第８ドット行ＤＴＲ２、ＤＴＲ８の第２ドットＤＯＴ２は、第１乃至第３データラインＤ１、Ｄ２、Ｄ３の各々に接続された第４乃至第６画素ＳＰＸ４、ＳＰＸ５、ＳＰＸ６を含む。第１ドット列ＤＴＣ１で、第３及び第５ドット行ＤＴＲ３、ＤＴＲ５の第１ドットＤＯＴ１は、第２乃至第４データラインＤ２、Ｄ３、Ｄ４の各々に接続された第１乃至第３画素ＳＰＸ１、ＳＰＸ２、ＳＰＸ３を含む。第４及び第６ドット行ＤＴＲ４、ＤＴＲ６の第２ドットＤＯＴ２は、第２乃至第４データラインＤ２、Ｄ３、Ｄ４の各々に接続された第４乃至第６画素ＳＰＸ４、ＳＰＸ５、ＳＰＸ６を含む。
【０１０９】
第２ドット列ＤＴＣ２で、第２及び第８ドット行ＤＴＲ２、ＤＴＲ８の第１ドットＤＯＴ１は、第４乃至第６データラインＤ４、Ｄ５、Ｄ６の各々に接続された第１乃至第３画素ＳＰＸ１、ＳＰＸ２、ＳＰＸ３を含む。第１及び第７ドット行ＤＴＲ１、ＤＴＲ７の第２ドットＤＯＴ２は、第４乃至第６データラインＤ４、Ｄ５、Ｄ６の各々に接続された第４乃至第６画素ＳＰＸ４、ＳＰＸ５、ＳＰＸ６を含む。第２ドット列ＤＴＣ２で、第４及び第６ドット行ＤＴＲ４、ＤＴＲ６の第１ドットＤＯＴ１は、第５乃至第７データラインＤ５、Ｄ６、Ｄ７の各々に接続された第１乃至第３画素ＳＰＸ１、ＳＰＸ２、ＳＰＸ３を含む。第３及び第５ドット行ＤＴＲ３、ＤＴＲ５の第２ドットＤＯＴ２は、第５乃至第７データラインＤ５、Ｄ６、Ｄ７の各々に接続された第４乃至第６画素ＳＰＸ４、ＳＰＸ５、ＳＰＸ６を含む。
【０１１０】
第１画素列ＳＰＣ１で正極性のレッドのデータ電圧Ｒ＋を受信する第１画素ＳＰＸ１は、第１及び第７ドット行ＤＯＴ１、ＤＯＴ７に位置し、負極性のレッドのデータ電圧Ｒ−を受信する第１画素ＳＰＸ１は、第３及び第５ドット行ＤＯＴ３、ＤＯＴ５に位置する。また、第１画素列ＳＰＣ１で正極性のレッドのデータ電圧Ｒ＋を受信する第２画素ＳＰＸ２は、第２及び第８ドット行ＤＯＴ２、ＤＯＴ８に位置し、負極性のレッドのデータ電圧Ｒ−を受信する第２画素ＳＰＸ２は、第４及び第６ドット行ＤＯＴ４、ＤＯＴ６に位置する。したがって、正極性のレッドのデータ電圧Ｒ＋を受信する画素と負極性のレッドのデータ電圧Ｒ−を受信する画素とが２つのドット行の単位に反複して配置される。即ち、データ電圧の極性が同一の画素列において第２方向ＤＲ２に＋、＋、−、−のデータ極性は、−、−、＋、＋のデータ極性に反転される。
【０１１１】
第２画素列ＳＰＣ２でも、カラーが異なるだけで第１画素列ＳＰＣ１と類似の接続構造を有する。
【０１１２】
第３画素列ＳＰＣ３で、正極性のブルーのデータ電圧Ｂ＋を受信する第３画素ＳＰＸ３は、第１及び第７ドット行ＤＴＲ１、ＤＴＲ７に位置し、負極性のブルーのデータ電圧Ｂ−を受信する第３画素ＳＰＸ３は、第３及び第５ドット行ＤＴＲ３、ＤＴＲ５に位置する。また、第３画素列ＳＰＣ３で正極性のホワイトのデータ電圧Ｗ＋を受信する第６画素ＳＰＸ６は、第２及び第８ドット行ＤＴＲ２、ＤＴＲ８に位置し、負極性のホワイトのデータ電圧Ｗ−を受信する第６画素ＳＰＸ６は、第４及び第６ドット行ＤＴＲ４、ＤＴＲ６に位置する。
【０１１３】
このように、レッドのみではなく、グリーン、ブルー、及びホワイトカラーの画素に対しても正極性を有する画素と負極性を有する画素とが該当ドット行及び該当ドット列において反複して位置する。したがって、画素行及び画素列の単位に輝度差が発生しないので、水平クロストーク現象、又はムービングラインステイン現象等を防止することができる。
【０１１４】
図１２は、本発明のその他の実施形態による液晶パネルの一部を示した平面図である。
【０１１５】
図１２を参照すれば、本発明のその他の実施形態による表示装置は、第１及び第２ドットＤＯＴ１、ＤＯＴ２を含む。第１ドットＤＯＴ１は、第１乃至第３画素ＳＰＸ１、ＳＰＸ２、ＳＰＸ３を含み、第２ドットＤＯＴ２は、第４乃至第６画素ＳＰＸ４、ＳＰＸ５、ＳＰＸ６を含む。第１及び第２ドットＤＯＴ１、ＤＯＴ２は、第１方向ＤＲ１及び第２方向ＤＲ２に交互に配置される。
【０１１６】
第１ドット列ＤＴＣ１で、第１及び第７ドット行ＤＴＲ１、ＤＴＲ７の第１ドットＤＯＴ１は、第１乃至第３データラインＤ１、Ｄ２、Ｄ３の各々に接続された第１乃至第３画素ＳＰＸ１、ＳＰＸ２、ＳＰＸ３を含む。第１ドット列ＤＴＣ１で、第２及び第８ドット行ＤＴＲ２、ＤＴＲ８の第２ドットＤＯＴ２は、第２乃至第４データラインＤ２、Ｄ３、Ｄ４の各々に接続された第４乃至第６画素ＳＰＸ４、ＳＰＸ５、ＳＰＸ６を含む。第１ドット列ＤＴＣ１で、第３及び第５ドット行ＤＴＲ３、ＤＴＲ５の第１ドットＤＯＴ１は、第２乃至第４データラインＤ２、Ｄ３、Ｄ４の各々に接続された第１乃至第３画素ＳＰＸ１、ＳＰＸ２、ＳＰＸ３を含む。第１ドット列ＤＴＣ１で、第４及び第６ドット行ＤＴＲ４、ＤＴＲ６の第２ドットＤＯＴ２は、第１乃至第３データラインＤ１、Ｄ２、Ｄ３の各々に接続された第４乃至第６画素ＳＰＸ４、ＳＰＸ５、ＳＰＸ６を含む。
【０１１７】
第２ドット列ＤＴＣ２で、第２及び第８ドット行ＤＴＲ２、ＤＴＲ８の第１ドットＤＯＴ１は、第５乃至第７データラインＤ５、Ｄ６、Ｄ７の各々に接続された第１乃至第３画素ＳＰＸ１、ＳＰＸ２、ＳＰＸ３を含む。第２ドット列ＤＴＣ２で、第１及び第７ドット行ＤＴＲ１、ＤＴＲ７の第２ドットＤＯＴ２は、第４乃至第６データラインＤ４、Ｄ５、Ｄ６の各々に接続された第４乃至第６画素ＳＰＸ４、ＳＰＸ５、ＳＰＸ６を含む。第２ドット列ＤＴＣ２で、第４及び第６ドット行ＤＴＲ４、ＤＴＲ６の第１ドットＤＯＴ１は、第４乃至第６データラインＤ４、Ｄ５、Ｄ６の各々に接続された第１乃至第３画素ＳＰＸ１、ＳＰＸ２、ＳＰＸ３を含む。第２ドット列ＤＴＣ２で、第３及び第５ドット行ＤＴＲ３、ＤＴＲ５の第２ドットＤＯＴ２は、第５乃至第７データラインＤ５、Ｄ６、Ｄ７の各々に接続された第４乃至第６画素ＳＰＸ４、ＳＰＸ５、ＳＰＸ６を含む。
【０１１８】
第１画素列ＳＰＣ１で正極性のレッドのデータ電圧Ｒ＋を受信する第１画素ＳＰＸ１は、第１及び第７ドット行ＤＴＲ１、ＤＴＲ７に位置し、負極性のレッドのデータ電圧Ｒ−を受信する第１画素ＳＰＸ１は、第３及び第５ドット行ＤＴＲ３、ＤＴＲ５に位置する。また、第１画素列ＳＰＣ１で正極性のレッドのデータ電圧Ｒ＋を受信する第４画素ＳＰＸ４は、第４及び第６ドット行ＤＴＲ４、ＤＴＲ６に位置し、負極性のレッドのデータ電圧Ｒ−を受信する第２画素ＳＰＸ２は、第２及び第８ドット行ＤＴＲ２、ＤＴＲ８に位置する。したがって、正極性のレッドのデータ電圧Ｒ＋を受信する画素と負極性のレッドのデータ電圧Ｒ−を受信する画素が２つのドット行の単位に反複して配置される。即ち、データ電圧の極性が同一の画素列の内で第２方向ＤＲ２に＋、−、−、＋のデータ極性は、−、＋、＋、−のデータ極性に反転される。
【０１１９】
第２及び第３画素列ＳＰＣ２、ＳＰＣ３でも、カラーが異なるだけで第１画素列ＳＰＣ１と類似の接続構造を有する。
【０１２０】
このように、レッドのみではなく、グリーン、ブルー、及びホワイトカラーの画素に対しても正極性を有する画素と負極性を有する画素とが該当ドット行及び該当ドット列において反複して位置する。したがって、画素行及び画素列の単位に輝度差が発生しないので、水平クロストーク現象、又はムービングラインステイン現象等を防止することができる。
【０１２１】
図１３は、本発明のその他の実施形態による液晶パネルの一部を示した平面図である。
【０１２２】
図１３を参照すれば、第１データラインＤ１と第２データラインＤ２との間に配置された第１画素列の画素は、第１データラインＤ１と第２データラインＤ２とに１つの画素単位に交互に接続される。画素と第１及び第２データラインＤ１、Ｄ２との間の接続構造は、４ｉ個の画素を周期にして反転される。ｉが１である場合、第１乃至第４画素行ＰＲ１〜ＰＲ４の画素において第１及び第３画素行ＰＲ１、ＰＲ３の画素は、第１データラインＤ１に接続され、第２及び第４画素行ＰＲ２、ＰＲ３の画素は、第２データラインＤ２に接続される。これと反対に、第５乃至第８画素行ＰＲ５〜ＰＲ８の画素の中で第５及び第７画素行ＰＲ５、ＰＲ７の画素は、第２データラインＤ２に接続され、第６及び第８画素行ＰＲ６、ＰＲ８の画素は、第１データラインＤ１に接続される。
【０１２３】
第１画素列ＰＣ１の画素において奇数番目の画素行（即ち、第１、第３、第５及び第７画素行ＰＲ１、ＰＲ３、ＰＲ５、ＰＲ７）には、レッド画素Ｒが位置し、偶数番目の画素行（即ち、第２、第４、第６及び第８画素行ＰＲ２、ＰＲ４、ＰＲ６、ＰＲ８）には、ブルー画素Ｂが位置する。第２画素列ＰＣ２の画素において奇数番目の画素行ＰＲ１、ＰＲ３、ＰＲ５、ＰＲ７には、グリーン画素Ｇが位置し、偶数番目の画素行ＰＲ２、ＰＲ４、ＰＲ６、ＰＲ８には、ホワイト画素Ｗが位置する。第３画素列ＰＣ３の画素において奇数番目の画素行ＰＲ１、ＰＲ３、ＰＲ５、ＰＲ７には、ブルー画素Ｂが位置し、偶数番目の画素行ＰＲ２、ＰＲ４、ＰＲ６、ＰＲ８には、レッド画素Ｒが位置する。また、第４画素列ＰＣ４の画素において奇数番目の画素行ＰＲ１、ＰＲ３、ＰＲ５、ＰＲ７には、ホワイト画素Ｗが位置し、偶数番目の画素行ＰＲ２、ＰＲ４、ＰＲ６、ＰＲ８には、グリーン画素Ｇが位置する。
【０１２４】
１つの列をなす画素は、４ｉ個の画素からなるグループ単位に左側及び右側と隣接データラインに接続される構造が反転される。したがって、第１画素列ＰＣ１の画素において第１及び第３画素行ＰＲ１、ＰＲ３のレッド画素Ｒ＋は、第１データラインＤ１に接続され、第２及び第４画素行ＰＲ２、ＰＲ４のブルー画素Ｂ−は、第２データラインＤ２に接続される。また、第１画素列ＰＣ１の画素において第５及び第７画素行ＰＲ５、ＰＲ７のレッド画素Ｒ−は、第２データラインＤ２に接続され、第６及び第８画素行ＰＲ６、ＰＲ８のブルー画素Ｂ＋は、第１データラインＤ１に接続される。
【０１２５】
したがって、第１及び第２データラインＤ１、Ｄ２の各々に印加されるデータ電圧の極性が一つのフレーム区間において変化しなくても、上記した画素列においては正極性及び負極性の画素が交互に配置される。特に、一つの画素列において同一のカラーを有する画素は、周期的に互いに異なる極性を有するように配置される。本発明の一例として、４つの画素列のうちの少なくとも３つの画素列で同一のカラーの画素は、４つの画素行の単位に互いに異なる極性を有する。各画素の横幅対縦幅の比率が約１：３であってもよい。
【０１２６】
図１４は、本発明のその他の実施形態による液晶パネルの一部を示した平面図である。
【０１２７】
図１４を参照すれば、各画素列で画素と左側／右側のデータラインとの間の接続構造は、４ｉ個の画素を周期に反転される。例えば、ｉが１である場合、第１画素列ＰＣ１で第１乃至第４画素行ＰＲ１〜ＰＲ４の画素のうちの第１及び第４画素行ＰＲ１、ＰＲ４の画素は、第１データラインＤ１に接続され、第２及び第３画素行ＰＲ２、ＰＲ３の画素は、第２データラインＤ２に接続される。これと反対に、第５乃至第８画素行ＰＲ５〜ＰＲ８の画素のうちの第５及び第８画素行ＰＲ５、ＰＲ８の画素は、第２データラインＤ２に接続され、第６及び第７画素行ＰＲ６、ＰＲ７の画素は、第１データラインＤ１に接続される。
【０１２８】
図１４に図示された画素のカラー配置の構造は、図１３に図示された画素のカラー配置の構造と同一であるので、カラー配置に関する説明は、省略する。
【０１２９】
１つの列をなす画素は、４ｉ個の画素からなるグループ単位に左側及び右側と隣接データラインに接続される構造が反転される。したがって、第１画素列の画素のうちの第１及び第７画素行ＰＲ１、ＰＲ７のレッド画素Ｒ＋は、第１データラインＤ１に接続され、第２及び第８画素行ＰＲ２、ＰＲ８のブルー画素Ｂ−は、第２データラインＤ２に接続される。また、第１画素列ＰＣ１の画素のうちの第３及び第５画素行ＰＲ３、ＰＲ５のレッド画素Ｒ−は、第２データラインＤ２に接続され、第４及び第６画素行ＰＲ４、ＰＲ６のブルー画素Ｂ＋は、第１データラインＤ１に接続される。
【０１３０】
したがって、第１及び第２データラインＤ１、Ｄ２の各々に印加されるデータ電圧の極性が一つのフレーム区間において変化しなくても上述した画素列においては正極性及び負極性の画素が交互に配置される。特に、一つの画素列において同一のカラーを有する画素は、周期的に互いに異なる極性を有するように配置される。本発明の一例として、４つの画素列のうちの少なくとも３つの画素列で同一のカラーの画素は、４つの画素行の単位に互いに異なる極性を有する。
【０１３１】
図１５は、本発明のその他の実施形態による液晶パネルの一部を示した平面図である。
【０１３２】
図１５を参照すれば、各画素列で画素と左側／右側のデータラインとの間の接続構造は、４ｉ個の画素を周期にして反転される。例えば、ｉが１である場合、第１画素列ＰＣ１で第１乃至第４画素行ＰＲ１〜ＰＲ４の画素のうちの第１及び第２画素行ＰＲ１、ＰＲ２の画素は、第１データラインＤ１に接続され、第３及び第４画素行ＰＲ３、ＰＲ４の画素は、第２データラインＤ２に接続される。これと反対に、第５乃至第８画素行ＰＲ５〜ＰＲ８の画素のうちの第５及び第６画素行ＰＲ５、ＰＲ６の画素は、第２データラインＤ２に接続され、第７及び第８画素行ＰＲ７、ＰＲ８の画素は、第１データラインＤ１に接続される。
【０１３３】
図１５に図示された画素のカラーの配置構造は、図１３に図示された画素のカラーの配置構造と同一であるので、カラー配置に関する説明は、省略する。
【０１３４】
１つの列をなす画素は、４ｎ個の画素からなるグループ単位に左側及び右側と隣接データラインに接続される構造が反転される。したがって、第１画素列ＰＣ１の画素のうちの第１及び第７画素行ＰＲ１、ＰＲ７のレッド画素Ｒ＋は、第１データラインＤ１に接続され、第２及び第８画素行ＰＲ２、ＰＲ８のブルー画素Ｂ＋は、第１データラインＤ１に接続される。また、第１画素列ＰＣ１の画素のうちの第３及び第５画素行ＰＲ３、ＰＲ５のレッド画素Ｒ−は、第２データラインＤ２に接続され、第４及び第６画素行のブルー画素Ｂ−は、第２データラインＤ２に接続される。
【０１３５】
したがって、第１及び第２データラインＤ１、Ｄ２の各々に印加されるデータ電圧の極性が一つのフレーム区間において変化しなくても、上記した画素列においては正極性及び負極性の画素が交互に配置される。特に、一つの画素列において同一のカラーを有する画素は、周期的に互いに異なる極性を有するように配置される。本発明の一例として、４つの画素列のうちの少なくとも３つの画素列で同一のカラーの画素は、４つの画素行の単位に互いに異なる極性を有する。
【０１３６】
このように、レッドのみではなく、グリーン、ブルー、ホワイトカラーの画素に対しても正極性の画素と負極性の画素が該当画素行において反複して位置する。したがって、１つの画素行及び１つの画素列の単位に輝度差が発生しないので、水平クロストーク現象、又はムービングラインステイン現象等を防止することができる。
【０１３７】
本発明は、記載された実施形態に限定されるものではなく、本発明のマッピング及び範囲を逸脱せずに多様に修正及び変形できることは、この技術分野で通常の知識を有する者には明確である。したがって、そのような変形例、又は修正例は、本発明の特許請求の範囲に属する。
【符号の説明】
【０１３８】
１０００：液晶表示装置
１００：液晶パネル
２００：タイミングコントローラ
３００：ゲートドライバ
４００：データドライバ
ＰＲ１：第１画素行
ＰＲ２：第２画素行
ＰＧ１〜ＰＧ：第１乃至第４画素グループ
【図１】
2016157112.tif 000003
【図２】
2016157112.tif 000004
【図３】
2016157112.tif 000005
【図５】
2016157112.tif 000006
【図６】
2016157112.tif 000007
【図７】
2016157112.tif 000008
【図８】
2016157112.tif 000009
【図９】
2016157112.tif 000010
【図１１】
2016157112.tif 000011
【図１２】
2016157112.tif 000012
【図１３】
2016157112.tif 000013
【図１４】
2016157112.tif 000014
【図１５】
2016157112.tif 000015
【図４Ａ】
2016157112.tif 000016
【図４Ｂ】
2016157112.tif 000017
【図４Ｃ】
2016157112.tif 000018
【図４Ｄ】
2016157112.tif 000019
【図１０Ａ】
2016157112.tif 000020
【図１０Ｂ】
2016157112.tif 000021
【図１０Ｃ】
2016157112.tif 000022
【図１０Ｄ】
2016157112.tif 000023